(57)【要約】【課題】携帯電話をＡＣＳとして使用するとともに、携帯電話の撮影機能を出退勤管理に使用し、且つＡＣＳと共用することにより、安価で正確な出退勤管理システムを得る。【解決手段】社員に個別に所持されて送受信機能および撮影機能を有する携帯電話１２と、通信手段１１を介して携帯電話１２に接続された伝送装置１ｅを有するホストコンピュータ１とを備えている。携帯電話１２は、少なくとも勤務地の所定場所を撮影した映像と撮影時刻とをホストコンピュータ１に送信し、ホストコンピュータ１は、出退勤管理機能を有し、携帯電話１２から送信された撮影時刻を、携帯電話を所持する社員の勤務地に対する出勤時刻または退勤時刻として管理する。【選択図】図１
2006065649.tif 000002
【特許請求の範囲】
【請求項１】
社員に個別に所持されて送受信機能および撮影機能を有する携帯電話と、
通信手段を介して前記携帯電話に接続された伝送装置を有するホストコンピュータとを備え、
前記携帯電話は、少なくとも勤務地の所定場所を撮影した映像と撮影時刻とを前記ホストコンピュータに送信し、
前記ホストコンピュータは、出退勤管理機能を有し、前記携帯電話から送信された前記撮影時刻を、前記携帯電話を所持する社員の前記勤務地に対する出勤時刻または退勤時刻として管理することを特徴とする出退勤管理システム。
【請求項２】
前記携帯電話および前記伝送装置の少なくとも一方は、セキュリティチェック機能を有し、
前記セキュリティチェック機能は、前記社員ごとの暗証番号またはバイオメトリクスをチェックし、
前記撮影時刻は、前記セキュリティチェック機能によるチェック結果がＯＫの場合のみに正規時刻として扱われることを特徴とする請求項１に記載の出退勤管理システム。
【請求項３】
前記携帯電話から送信される映像は、前記所定場所を背景として、前記社員の顔を含むことを特徴とする請求項２に記載の出退勤管理システム。
【請求項４】
前記携帯電話は、時計を撮影した時計映像を前記ホストコンピュータに送信し、
前記ホストコンピュータは、前記時計映像をパターン認識処理して前記撮影時刻を取得することを特徴とする請求項１から請求項３までのいずれか１項に記載の出退勤管理システム。
【請求項５】
前記ホストコンピュータは、
出勤開始時刻から出勤終了時刻までの出勤時間帯を格納した記憶手段を有し、
前記携帯電話から送信される複数の撮影時刻のうち、前記出勤開始時刻に最も近い時刻を出勤時刻として管理し、
前記携帯電話から送信される複数の撮影時刻のうち、前記出勤終了時刻に最も近い時刻を退勤時刻として管理することを特徴とする請求項１から請求項４までのいずれか１項に記載の出退勤管理システム。
【請求項６】
前記携帯電話は、前記ホストコンピュータから送信される指令信号の内容を報知するための報知機能を有し、
前記ホストコンピュータは、前記携帯電話から送信される映像または撮影時刻が正規に受信することができない場合に、前記映像または前記撮影時刻の再度の送信要求を出力して、前記携帯電話の報知機能を駆動させることを特徴とする請求項１から請求項５までのいずれか１項に記載の出退勤管理システム。
【請求項７】
前記所定場所は、前記勤務地内のあらかじめ設定された部屋のドア近傍を含むことを特徴とする請求項１から請求項６までのいずれか１項に記載の出退勤管理システム。
【請求項８】
前記ホストコンピュータの出退勤管理機能は、前記携帯電話を所持する社員の入退室管理機能または機械警備機能を含むことを特徴とする請求項１から請求項７までのいずれか１項に記載の出退勤管理システム。
【請求項９】
前記ホストコンピュータの入退室管理機能は、前記勤務地に属するテナントを管理するために、前記携帯電話から送信される映像をチェックすることを特徴とする請求項８に記載の出退勤管理システム。
【請求項１０】
前記携帯電話は、入退室管理に使用されるドア番号またはＩＤ番号を前記映像とともに前記ホストコンピュータに送信し、
前記ホストコンピュータは、前記ドア番号または前記ＩＤ番号を出退勤管理に流用することを特徴とする請求項８または請求項９に記載の出退勤管理システム。
【請求項１１】
前記ホストコンピュータは、所定時間内の通行者が所定量以上の出入口のドア近傍の映像を無効にすることを特徴とする請求項７から請求項１０までのいずれか１項に記載の出退勤管理システム。
【請求項１２】
社員に個別に所持されて送受信機能および撮影機能を有する携帯電話と、
通信手段を介して前記携帯電話に接続された伝送装置を有するホストコンピュータとを備え、
前記携帯電話は、少なくとも勤務地の所定場所を撮影した映像を前記ホストコンピュータに送信し、
前記ホストコンピュータは、計時部および出退勤管理機能を有し、前記携帯電話から送信された時点の撮影時刻を、前記携帯電話を所持する社員の前記勤務地に対する出勤時刻または退勤時刻として管理することを特徴とする出退勤管理システム。
【発明の詳細な説明】
【技術分野】
【０００１】
この発明は、携帯電話を用いて出退勤情報を入力することにより、ビル内の入退室管理を可能にした出退勤管理システムに関し、特にＡＣＳ（Ａｃｃｅｓｓ  Ｃｏｎｔｒｏｌ  Ｓｙｓｔｅｍ：出入制御システム）やメールボックスを適用するとともに、携帯電話の映像をバイオメトリクスＩＤとして有効活用することにより、安価なシステムを実現した新規な技術改良に関するものである。
【背景技術】
【０００２】
従来の出退勤管理システムにおいては、通常、ＡＣＳはＩＤカードやバイオメトリクスＩＤで行われ、また、出退勤管理は、タイムカードなどで行われている（たとえば、特許文献１参照）。
上記従来システムの場合、多くの使用ハードウェア媒体が必要になることから、高価となるうえ、バイオメトリクスＩＤ以外は他人が操作しても判別不可能なことから、管理が不正確になる可能性があった。
【０００３】
【特許文献１】特開２００３−３０５９１号公報
【発明の開示】
【発明が解決しようとする課題】
【０００４】
従来の出退勤管理システムでは、ＡＣＳとしてＩＤカードやバイオメトリクスＩＤを使用し、出退勤管理システムとしてタイムカードを使用しているので、多くのハードウェアを必要とし、コストアップを招くうえ、ＩＤカードの発行管理などが煩雑になりミスを生じ易いという課題があった。
【０００５】
この発明は、携帯電話をＡＣＳとして使用するとともに、携帯電話の撮影機能を出退勤管理に使用し、且つＡＣＳと共用することにより、安価で正確な出退勤管理システムを得ることを目的とする。
【課題を解決するための手段】
【０００６】
この発明による出退勤管理システムは、社員に個別に所持されて送受信機能および撮影機能を有する携帯電話と、通信手段を介して携帯電話に接続された伝送装置を有するホストコンピュータとを備え、携帯電話は、少なくとも勤務地の所定場所を撮影した映像と撮影時刻とをホストコンピュータに送信し、ホストコンピュータは、出退勤管理機能を有し、携帯電話から送信された撮影時刻を、携帯電話を所持する社員の勤務地に対する出勤時刻または退勤時刻として管理するものである。
【発明の効果】
【０００７】
この発明によれば、携帯電話の通信機能および撮影機能を適用することにより、安価で正確な出退勤管理システムを実現することができる。
【発明を実施するための最良の形態】
【０００８】
実施の形態１．
以下、図面を参照しながら、この発明の実施の形態１について詳細に説明する。
図１はこの発明の実施の形態１に係る出退勤管理システムを概略的に示すブロック図である。また、図２は図１の出退勤管理システムが適用されるビル２の構成を平面的に示す説明図であり、図３は図２内の時計板２３、２３ａ、２３ｂ（時刻・場所情報を含む）を示す説明図である。
【０００９】
図１において、管理センタ側のホストコンピュータ１は、インタネットなどの通信手段１１を介して、社員に個別に所持された複数の携帯電話１２に接続されている。
ローカル側の携帯電話１２は、それぞれ、送受信機能、撮影機能（カメラ）および報知機能（表示部、スピーカ）を有している。
【００１０】
ホストコンピュータ１は、ＣＰＵ１ａ、ＲＯＭ１ｂ、ＲＡＭ１ｃ、計時部１ｄ、伝送装置１ｅ、ＣＲＴ（表示装置）１ｆ、プリンタ１ｇ、キーボード（操作盤）１ｈおよび入出力インタフェース１ｉを備えている。
【００１１】
ＣＰＵ１ａは、出退勤管理システムの本体を構成しており、出退勤管理機能、入退室管理機能、セキュリティチェック機能および機械警備機能などを有する。
ＲＯＭ１ｂは、ＣＰＵ１ａの制御処理プログラムなどが格納されている。
ＲＡＭ１ｃは、ＣＰＵ１ａによる各種演算処理結果などがリアルタイムに格納される。
伝送装置１ｅは、インタネット（通信手段）１１を介して、携帯電話１２との間でデータおよび指令信号などの送受信を行う。
【００１２】
ＣＲＴ１ｆは、必要に応じて、携帯電話１２との間の送受信データを表示し、プリンタ１ｇは、必要に応じて、ＣＲＴ１ｆ上の表示データなどを印字出力する。
キーボード１ｈは、ホストコンピュータ１のオペレータに対するインタフェースとして機能し、オペレータにより適宜操作される。
入出力インタフェース１ｉは、ビル内の電気錠Ｅ、Ｅａ、Ｅｂ（図２参照）などに接続されている。
【００１３】
携帯電話１２は、固有の所持者（社員）による撮影操作および送信操作により、少なくとも勤務地（ビル内）の所定場所を撮影した映像と撮影時刻とをホストコンピュータ１に送信する。
これにより、ホストコンピュータ１は、携帯電話１２から送信された撮影時刻を、携帯電話１２を所持する社員の勤務地に対する出勤時刻または退勤時刻として管理するようになっている。
【００１４】
図２において、ビル２内の各区画は、テナント２１ａ、２１ｂと、倉庫２４と、階段２５と、エレベータ２６と、トイレ２７とに割り当てられている。
ビル２の出入口には、電気錠Ｅを有するドア２２が設けられ、ドア２２の近傍の外壁には、時刻情報および場所情報（図３参照）が明示された時計板２３が設置されている。
【００１５】
同様に、テナント２１ａ、２１ｂの各出入口には、それぞれ、電気錠Ｅａ、Ｅｂを有するドア２２ａ、２２ｂが設けられ、各ドア２２ａ、２２ｂの近傍の外壁には、それぞれ、時計板２３ａ、２３ｂが設置されている。
各電気錠Ｅ、Ｅａ、Ｅｂは、後述するように、ホストコンピュータ１により開閉制御される。
【００１６】
図３において、時計板２３（２３ａ、２３ｂ）は、時刻情報３１の表示部と、場所情報３２の表示部とを有している。
ここでは、時刻情報３１がデジタル表示された場合を示しているが、アナログ表示であってもよい。
場所表示部３２には、テナント名、部屋名、部屋番号、ビル名、ビル番号などが明示される。
【００１７】
ホストコンピュータ１内のセキュリティチェック機能は、社員ごとの暗証番号またはバイオメトリクスをチェックするようになっている。なお、セキュリティチェック機能は、携帯電話１２に設けることもできる。
所定場所の撮影時刻は、セキュリティチェック機能によるチェック結果がＯＫの場合のみに、正規時刻として扱われる。
【００１８】
携帯電話１２からホストコンピュータ１に送信される映像は、所定場所を背景として、社員の顔を含むようにすることもできる。
また、携帯電話１２により撮影される所定場所は、勤務地内のあらかじめ設定された任意の場所に設定可能であるが、たとえば、部屋のドア（たとえば、図２内のドア２２、２２ａ、２２ｂのいずれか）の近傍（たとえば、時計板２３、２３ａ、２３ｂのいずれか）を含むようにしてもよい。
【００１９】
携帯電話１２は、所持者の操作により、時計板２３、２３ａ、２３ｂを撮影した時計映像を、ホストコンピュータ１に送信することもできる。
この場合、ホストコンピュータ１は、受信した時計映像をパターン認識処理して撮影時刻を取得する。
このとき、所定場所として、ドア２２、２２ａ、２２ｂと、時計板２３、２３ａ、２３ｂとを対応付けて、同時に撮影することもできる。
【００２０】
また、ホストコンピュータ１は、出勤開始時刻から出勤終了時刻までの出勤時間帯を格納した記憶手段を有し、携帯電話１２から送信される複数の撮影時刻のうち、出勤開始時刻に最も近い時刻を出勤時刻として管理し、携帯電話１２から送信される複数の撮影時刻のうち、出勤終了時刻に最も近い時刻を退勤時刻として管理する。
【００２１】
また、携帯電話１２は、前述の報知機能を有し、ホストコンピュータ１から送信される指令信号の内容を報知する。
すなわち、ホストコンピュータ１は、携帯電話１２から送信される映像または撮影時刻が正規に受信することができない場合に、映像または撮影時刻の再度の送信要求を出力して、携帯電話１２の報知機能を駆動させるようになっている。
【００２２】
ホストコンピュータ１において、出退勤管理機能は、携帯電話１２を所持する社員の入退室管理機能または機械警備機能をも兼用している。
ホストコンピュータ１の入退室管理機能は、勤務地に属するテナント２ａ、２ｂを管理するために、出退勤管理機能と同様に、携帯電話１２から送信される映像をチェックするようになっている。
【００２３】
また、携帯電話１２からは、所持者のテンキー操作に応答して、入退室管理に使用されるドア番号またはＩＤ番号が、映像とともにホストコンピュータ１に送信される。
この場合、ホストコンピュータ１においては、受信したドア番号またはＩＤ番号が出退勤管理にも流用される。
【００２４】
さらに、ホストコンピュータ１は、所定時間内の通行者が所定量以上の出入口のドア近傍（たとえば、時計板２３）の映像を無効にするようになっている。
このように、携帯電話１２と双方向通信を行うホストコンピュータ１を設けることにより、携帯電話１２のみを用いて、種々の管理機能を安価に且つ正確に実現することができる。
【００２５】
ここで、ＡＣＳは早い応答速度が要求されるので、上述のように、所定場所の情報として、ドア番号などのデジタル情報のみで処理が行われる。
また、出退勤管理システムとしては、たとえば、１日に２回処理することのみで、映像によるバイオメトリクスＩＤチェックを行い、確実に個人を特定するようにする。
また、ＡＣＳ以外の機械警備に対しても同様に実現することができる。
【００２６】
次に、図２および図３とともに、図４および図５のフローチャートを参照しながら、図１に示したこの発明の実施の形態１による具体的な動作について説明する。
図４および図５は、図１内のホストコンピュータ１による処理手順を示している。
図４において、ホストコンピュータ１は、まず、携帯電話１２からの着信があるか否かを判定しながら、携帯電話１２からの着信を待機する（ステップＳ４１）。
【００２７】
ここで、携帯電話１２を所持した通行者が、ホストコンピュータ１に向けて電話をかけると、ステップＳ４１において、着信有り（すなわち、ＹＥＳ）と判定される。
次に、時計板の映像によりドア番号を受信したか否かを判定し（ステップＳ４２）、ドア番号を受信していない（すなわち、ＮＯ）と判定されれば、続いて、所定時間が経過したか否かを判定する（ステップＳ４３）。
【００２８】
ステップＳ４３において、所定時間が経過した（すなわち、ＹＥＳ）と判定されれば、図４の処理ルーチンを終了し、所定時間が経過していない（すなわち、ＮＯ）と判定されれば、ステップＳ４２に戻ってドア番号の受信を待機し続ける。
【００２９】
一方、携帯電話１２の所持者が通行したいドア番号（ビル内の絶対位置）をキー入力し、ステップＳ４２において、ドア番号を受信した（すなわち、ＹＥＳ）と判定されれば、続いて、携帯電話１２からＩＤ名およびパスワードを受信したか否かを判定する（ステップＳ４４）。
【００３０】
ステップＳ４４において、ＩＤ名およびパスワードを受信していない（すなわち、ＮＯ）と判定されれば、続いて、所定時間が経過したか否かを判定する（ステップＳ４５）。
ステップＳ４５において、所定時間が経過した（すなわち、ＹＥＳ）と判定されれば、図４の処理ルーチンを終了し、所定時間が経過していない（すなわち、ＮＯ）と判定されれば、ステップＳ４４に戻ってＩＤ名およびパスワードの受信を待機し続ける。
【００３１】
一方、ステップＳ４４において、ＩＤ名およびパスワードを受信した（すなわち、ＹＥＳ）と判定されれば、続いて、受信したＩＤ名およびパスワードがＯＫ（当該ドアを通行可能）であるか否かを判定し、セキュリティチェックを行う（ステップＳ４６）。
【００３２】
ステップＳ４６において、ＩＤ名およびパスワードがＮＧ（すなわち、ＮＯ）と判定されれば、続いて、所定時間が経過したか否かを判定する（ステップＳ４７）。
ステップＳ４７において、所定時間が経過した（すなわち、ＹＥＳ）と判定されれば、図４の処理ルーチンを終了し、所定時間が経過していない（すなわち、ＮＯ）と判定されれば、ステップＳ４６に戻ってＩＤ名およびパスワードのセキュリティチェックを実行し続ける。
【００３３】
一方、ステップＳ４６において、ＩＤ名およびパスワードがＯＫ（すなわち、ＹＥＳ）と判定されれば、当該ドアの電気錠を一時的に（通行するのに十分な一定時間だけ）解錠する（ステップＳ４１）。
これにより、通行者は、所望の当該ドアを通行することができる。
【００３４】
次に、携帯電話１２から映像を受信しているか否かを判定し（ステップＳ４９）、映像を受信していない（すなわち、ＮＯ）と判定されれば、図４の処理ルーチンを終了し、映像を受信している（すなわち、ＹＥＳ）と判定されれば、ノードＡ以下の処理手順（図５参照）に進む。
このとき、携帯電話１２からホストコンピュータ１に送信される映像は、たとえば、所持者の顔と時計板２３（２３ａ、２３ｂ）とを同時に撮影した映像である。
【００３５】
図５において、ホストコンピュータ１内のＣＰＵ１ａ（顔のバイオメトリクスＩＤを採用したセキュリティチェック機能）は、まず、受信映像中の顔の特徴点が、あらかじめ登録されたＩＤ名の人物と一致するか否かを判定する（ステップＳ５０）。
【００３６】
ステップＳ５１において、送信された顔の特徴点が登録ＩＤの人物と一致しない（すなわち、ＮＯ）と判定されれば、映像の再送信要求を該当者の携帯電話１２に送出し（ステップＳ５１）、図５の処理ルーチンを終了する。
このとき、ホストコンピュータ１は、たとえば、再度の映像入力をうながすように、該当者の携帯電話１２にメールを送出し、表示または音声で報知させる。
【００３７】
一方、ステップＳ５１において、送信された顔の特徴点が登録ＩＤの人物と一致する（すなわち、ＹＥＳ）と判定されれば、続いて、場所情報３２を含む時計板（図３参照）の映像をパターン認識し、パターン認識したドア番号と、携帯電話１２からキー入力したドア番号とが一致するか否かを判定する（ステップＳ５２）。
【００３８】
ステップＳ５２において、パターン認識したドア番号とキー入力したドア番号とが一致しない（すなわち、ＮＯ）と判定されれば、映像の再送信要求を該当者の携帯電話１２に送出し（ステップＳ５１）、図５の処理ルーチンを終了する。
【００３９】
一方、ステップＳ５２において、パターン認識したドア番号とキー入力したドア番号とが一致する（すなわち、ＹＥＳ）と判定されれば、続いて、時計板の映像をパターン認識して時刻が抽出された（時刻情報３１の抽出が可能）か否かを判定する（ステップＳ５３）。
【００４０】
ステップＳ５３において、受信映像から時刻情報３１を抽出することができない（すなわち、ＮＯ）と判定されれば、映像の再送信要求を該当者の携帯電話１２に送出し（ステップＳ５１）、図５の処理ルーチンを終了する。
【００４１】
一方、ステップＳ５３において、受信映像から時刻が抽出された（すなわち、ＹＥＳ）と判定されれば、続いて、抽出された時刻をあらかじめ格納された出勤時間帯と比較し、抽出時刻が出勤時間帯の開始時刻に近い最初の時刻であるか否かを判定する（ステップＳ５４）。
【００４２】
ステップＳ５４において、抽出時刻が出勤開始時刻に近い最初の時刻である（すなわち、ＹＥＳ）と判定されれば、この抽出時刻を、登録ＩＤ名の人物の当日の出勤時刻としてＲＡＭ１ｃに記憶させ（ステップＳ５５）、外部システムへのデータ伝送処理（ステップＳ５８）に進む。
【００４３】
一方、ステップＳ５４において、抽出時刻が出勤開始時刻に近い最初の時刻でない（すなわち、ＮＯ）と判定されれば、続いて、抽出時刻が出勤時間帯の終了時刻に近い最後の時刻であるか否かを判定する（ステップＳ５６）。
ステップＳ５６において、抽出時刻が出勤終了時刻に近い最後の時刻でない（すなわち、ＮＯ）と判定されれば、図５の処理ルーチンを終了する。
【００４４】
一方、ステップＳ５６において、抽出時刻が出勤終了時刻に近い最後の時刻である（すなわち、ＹＥＳ）と判定されれば、この抽出時刻を、登録ＩＤ名の人物の当日の退勤時刻としてＲＡＭ１ｃに記憶させ（ステップＳ５７）、外部の出退勤システム（図示せず）に出退勤データを伝送して（ステップＳ５８）、図５の処理ルーチンを終了する。
【００４５】
このように、所望のドア近傍で通行者が携帯電話１２を操作して、ホストコンピュータ１に対して映像入力およびキー入力を行うとともに、ホストコンピュータ１側で、受信映像のパターン認識（顔の特徴点、時刻、ドア番号など）およびキー入力情報（ＩＤ名、パスワード、ドア番号など）のチェックを行い、チェック結果がＯＫの場合のみに該当者の通行を可能とすることにより、携帯電話１２のみの使用でセキュリティ性を著しく向上させることができる。
【００４６】
また、通行者自身の顔とともに、時計板の時刻情報３１および場所情報３２（ドア番号など）を、映像としてホストコンピュータ１に送信することにより、通行者の本人確認および時刻確認を、高い信頼性で正確に実現することができる。
また、チェック結果がＮＧであった場合には、再送信要求をメール送出して、報知機能を駆動させ、携帯電話１２からの再送信をうながすこともできる。
【００４７】
また、認識された撮影時刻と出勤時間帯の開始時刻および終了時刻とを比較して、出勤時刻および退勤時刻を自動的に管理することができる。
また、出退勤管理システムを入退室管理システムとして適用することもでき、さらに、携帯電話１２をＩＤ判別装置として用いることにより、機械警備システムとして共用することもできる。
【００４８】
また、ビル２の出入口は、通行者が多すぎるので、時計板２３の認識を禁止して通行者の流れをスムーズにすることができる。この場合、時計板２３の設置を省略することができる。
【００４９】
なお、上記実施の形態１では、入退室管理システムと共用した場合を示したが、ホストコンピュータ１が出退勤管理システムのみの単独で機能するようにしてもよい。
また、ビル２内の２つのテナント２ａ、２ｂ（図２参照）に適用した場合について説明したが、任意数のテナントに対しても同様に適用可能なことは言うまでもない。
【００５０】
また、撮影対象となる所定場所としてドア近傍の時計板２３（２３ａ、２３ｂ）を適用したが、勤務地のビルの映像であればどの場所を選択してもよく、さらに、場所情報３２としてドア番号以外の任意の名称などを送信してもよい。
【００５１】
また、たとえば、携帯電話１２の時計機能またはホストコンピュータ１内の計時部１ｄを用いれば、時計板内の時刻情報３１を省略することもでき、他の任意情報を時計板に含ませてもよい。
【００５２】
また、映像パターン認識機能を、ホストコンピュータ１側に設けたが、携帯電話１２側に設けてもよい。この場合、携帯電話１２からパターン認識結果がホストコンピュータ１に送信されることになる。
また、ホストコンピュータ１から携帯電話１２への再送信要求を、メール伝送したが、自動ダイヤルおよび自動音声などで伝送して、該当者に報知してもよい。
【００５３】
また、ホストコンピュータ１の処理能力が十分に高ければ、入退室管理時および出退勤管理時のセキュリティチェックを同時に実行することができる。
また、入退勤管理の方法としては、ドア番号以外に、携帯電話１２の電話番号そのものや、テナント２ａ、２ｂの名称を適用することもでき、または、ビル２のホームページ上でドアそのものを指示するなど、任意の方法が適用可能である。
【００５４】
また、セキュリティチェックの具体的な対象としては、ＩＤ名や暗証番号または顔以外に、文章（筆跡）や指紋または音声などの任意のチェック対象を適用することができる。
また、通信手段１１としてインタネットを用いたが、インタネット以外の無線ネットワークを用いてもよい。この場合、携帯電話１２と同等以上の機能を有する携帯通信機器が用いられる。
【００５５】
さらに、該当者が、ＡＣＳによりドアを通行して、室内に入った時点で初めて出勤と見なすようにしてもよい。
この場合、ＩＤ判別結果がＯＫとなった後に、電気錠が解錠されてドアが開いたときの時刻が、出勤時刻として認識されることになる。
【図面の簡単な説明】
【００５６】
【図１】この発明の実施の形態１に係る出退勤管理システムを概略的に示すブロック図である。
【図２】図１の出退勤管理システムが適用されるビルの構成を平面的に示す説明図である。
【図３】図２内の時計板（時刻・場所情報を含む）を示す説明図である。
【図４】この発明の実施の形態１に係る出退勤管理システムの動作を示すフローチャートである。
【図５】この発明の実施の形態１に係る出退勤管理システムの動作を示すフローチャートである。
【符号の説明】
【００５７】
１  ホストコンピュータ、１ａ  ＣＰＵ、１ｂ  ＲＯＭ、１ｃ  ＲＡＭ、１ｅ  伝送装置、１ｆ  ＣＲＴ、１ｈ  キーボード、１ｉ  入出力インタフェース、１１  通信手段、１２  携帯電話、２  ビル、２１ａ、２１ｂ  テナント、２２、２２ａ、２２ｂ  ドア、２３、２３ａ、２３ｂ  時計板、Ｅ、Ｅａ、Ｅｂ  電気錠、３１  時刻情報、３２  場所情報。
【図１】
2006065649.tif 000003
【図２】
2006065649.tif 000004
【図３】
2006065649.tif 000005
【図４】
2006065649.tif 000006
【図５】
2006065649.tif 000007